(57)【要約】【課題】表示灯としての視認性を確保しつつ、発信機を収納した状態で発信機を含めてよりフラットな形状となり意匠性に優れた表示灯を提供する。【解決手段】本発明に係る表示灯１は、開口部を有する取付面３に取り付けられて発信機５の位置を表示するものであって、発光素子１９を収容すると共に発信機５を収容する発信機収容部７を有する本体部９と、発光素子１９が発光する光を透光させて光る発光表示部１１とを有し、発光表示部１１は、発信機収容部７の外周を囲むように設けられ、凹陥した溝形状をして、少なくとも外周側の溝壁上端面３１が発信機収容部７に収納される発信機５の前面位置と同じか前面側にあり凹陥部は発信機５の前面よりも背面側に位置していることを特徴とするものである。【選択図】  図１
2019053364.tif 000002
【特許請求の範囲】
【請求項１】
開口部を有する取付面に取り付けられて発信機の位置を表示する表示灯であって、
発光源を収容すると共に前記発信機を収容する発信機収容部を有する本体部と、前記発光源が発光する光を透光させて光る発光表示部とを有し、
前記発光表示部は、前記発信機収容部の外周を囲むように設けられ、凹陥した溝形状をして、少なくとも外周側の溝壁上端面が前記発信機収容部に収納される発信機の前面位置と同じか前面側にあり凹陥部は前記発信機の前面よりも背面側に位置していることを特徴とする表示灯。
【請求項２】
前記外周側の溝壁上端面と内周側の溝壁上端面が同じ高さに設定されていることを特徴とする請求項１記載の表示灯。
【請求項３】
前記凹陥部は湾曲面になっていることを特徴とする請求項１又は２に記載の表示灯。
【発明の詳細な説明】
【技術分野】
【０００１】
本発明は、例えば消火栓箱、機器収納箱等に取り付けられる発信機の位置を表示する表示灯に関する。
【背景技術】
【０００２】
一般に普及している表示灯は、円錐の頂部が半球状になった赤色グローブと呼ばれるもので形成され、取付面から突出するように取り付けられているのが一般的である（例えば特許文献１の図１および図１２を参照）。
表示灯を取付面から突出させているのは、取付面の側方からの視認性を向上させるためであるが、その一方で側方から物がぶつかって表示灯が破損する危険がある。
【０００３】
そこで、本出願人において、全方位からの視認性を確保しつつ、外部から物がぶつかる等、外力による衝撃での破損の危険性の低い表示灯を得ることを目的として、特許文献２に開示された表示灯が提案されている。
特許文献２の表示灯は、中央に発信機収容部を有し、該発信機収容部の外周を囲むようにリング状に発光表示部が設けられている。
【０００４】
そして、発光表示部は、内側かつ奥側に傾斜する傾斜面を有しており、傾斜面の最も奥側の位置に発信機の前面が位置するようになっている。
傾斜面を発信機の前面よりも前側に位置させているのは、斜め横から見たときに表示灯が発信機に遮られないようにするためである。これは、「表示灯は赤色の灯火で取付面と１５度以上の角度となる方向に沿って１０ｍ離れた所から点灯していることが容易に識別できること」という法規の要求を満たすためである。
【先行技術文献】
【特許文献】
【０００５】
【特許文献１】特開平９−１０２０８５号公報
【特許文献２】特開２０１４−１４２３９６号公報
【発明の概要】
【発明が解決しようとする課題】
【０００６】
特許文献２の表示灯では、上述したように、上記の要求を満たして視認性を向上するために、表示灯に傾斜面を形成すると共に、傾斜面よりも発信機の前面が奥側に位置するようにしている。
しかしながら、特許文献２の表示灯は視認性という点では優れているが、表示灯よりも発信機の前面が奥側（背面側）に位置するため、取り付け状態では、表示灯を取付面とほぼ面一の状態にしても、発信機の前面が奥側に凹んだ状態になる。
最近では、表示灯の意匠性が重要視されており、意匠性という観点からは、発信機の前面も含めて取付面と面一に近いフラットな表示灯が好まれることもある。
【０００７】
本発明はかかる課題を解決するためになされたものであり、表示灯としての視認性を確保しつつ、発信機を収納した状態で発信機を含めてよりフラットな形状となり意匠性に優れた表示灯を提供することを目的としている。
【課題を解決するための手段】
【０００８】
発明者は、発信機を収納した状態で発光表示部及び発信機の前面を全体としてフラットにでき、かつ視認性にも優れるようにできないかを検討した結果、発光表示部の形状を凹陥する溝形状にすると共に、少なくとも外周側の溝壁上端面の位置を発信機の前面と同じか前面側に位置するようにすればよいとの知見を得た。
本発明はかかる知見に基づくものであり、具体的には以下の構成からなるものである。
【０００９】
（１）本発明に係る表示灯は、開口部を有する取付面に取り付けられて発信機の位置を表示するものであって、
発光源を収容すると共に前記発信機を収容する発信機収容部を有する本体部と、前記発光源が発光する光を透光させて光る発光表示部とを有し、
前記発光表示部は、前記発信機収容部の外周を囲むように設けられ、凹陥した溝形状をして、少なくとも外周側の溝壁上端面が前記発信機収容部に収納される発信機の前面位置と同じか前面側にあり凹陥部は前記発信機の前面よりも背面側に位置していることを特徴とするものである。
【００１０】
（２）また、上記（１）に記載のものにおいて、前記外周側の溝壁上端面と内周側の溝壁上端面が同じ高さに設定されていることを特徴とするものである。
【００１１】
（３）また、上記（１）又は（２）に記載のものにおいて、前記凹陥部は湾曲面になっていることを特徴とするものである。
【発明の効果】
【００１２】
本発明においては、発光源を収容すると共に前記発信機を収容する発信機収容部を有する本体部と、前記発光源が発光する光を透光させて光る発光表示部とを有し、前記発光表示部は、前記発信機収容部の外周を囲むように設けられ、凹陥した溝形状をして、少なくとも外周側の溝壁上端面が前記発信機収容部に収納される発信機の前面位置と同じか前面側にあり凹陥部は前記発信機の前面よりも背面側に位置しているので、発信機の前面と発光表示部との高さの位置が大きくずれず、全体としてフラットな状態にすることができ、かつ発光表示部の外周側の溝壁上端が斜めから見た状態でも全周に亘って視認できるので、視認性にも優れている。
【図面の簡単な説明】
【００１３】
【図１】本発明の一実施の形態に係る表示灯の斜視図である。
【図２】図１に示した表示灯の分解斜視図である（その１）。
【図３】図１に示した表示灯の分解斜視図である（その２）。
【図４】図１に示した表示灯の断面図である。
【図５】本実施の形態の他の態様に係る表示灯の斜視図である。
【図６】図５に示した表示灯の断面図である。
【発明を実施するための形態】
【００１４】
本実施の形態に係る表示灯１は、図１〜図４に示すように、開口部を有する取付面３（図４参照）に取り付けられて発信機５の位置を表示するものであって、発光源を収容すると共に発信機５を収容する発信機収容部７を有する本体部９と、発光源が発光する光を透光させて光る発光表示部１１とを有している。
以下、各構成を詳細に説明する。
なお、以下の説明では、表示灯１を取付面３（図４参照）に取り付けた状態で取付面３の手前側（図４における左側）を前面側と言い、取付面３の奥側（図４における右側）を背面側という。
【００１５】
＜本体部＞
本体部９は、図１〜図３に示すように、略円筒体からなる外周壁部１３と、外周壁部１３の前端側の外周面から外方に張り出すフランジ状からなる取付部１５と、取付部１５の内側に設けられた発信機収容部７と、発信機収容部７の外周を囲むように設けられた発光表示部１１とを有している。そして、外周壁部１３と発信機収容部７の周壁との間には、図３に示すように、空間部１７が形成され、この空間部１７に発光源としての発光素子１９が搭載された基板２１（図２参照）が設置されている。
基板２１は、図２に示すように、中央が開口した円板によって形成されており、基板２１の前面側には発光素子１９が複数設けられている。
【００１６】
外周壁部１３は、透光性を有する樹脂製の部材によって略短円筒状に形成されている。
取付部１５は、表示灯１を取付面３に取り付けるためのものであり、前述したように外周壁部１３の前端側の外周面から外方に張り出す略正方形のフランジ状に形成されている。
取付部１５の四隅には、図１〜図３に示すように、表示灯１を取付面３に取り付けるためのネジ孔１５ａが設けられている。
【００１７】
発信機収容部７は、図２に示すように、発光表示部１１の内周から内側かつ奥側に段形状に形成されており、段の底部が発信機５を取り付けるための発信機取付面部２３になっている。
発信機取付面部２３は、透光性部材で構成され中央が開口する平坦面からなり、両側に発信機５を取り付けるためのネジ孔２３ａが設けられている。
発信機収容部７に収容される発信機５は、図１、図２に示す通り、押下されると火災信号を発信する押ボタン２５と、円板状からなる押ボタン格納部２７と、押ボタン格納部２７の背面側に形成された発信機本体部２９とを有している。
【００１８】
＜発光表示部＞
発光表示部１１は、本体部９、取付部１５と共に透光性を有する樹脂によって一体成形されている。図１、図２では、発光表示部１１として機能する部位を明確にするために、当該部位を白色にして他の部位と区別している。
発光表示部１１は、発信機収容部７の外周を囲むように設けられ、湾曲するように凹陥した溝形状をしている。該溝形状は、外周側の端面である溝壁上端面３１と、内周側の端面である溝壁上端面３５とを有し、外周側及び内周側の溝壁上端面３１、３５の間が凹陥している。
そして、溝形状における外周側の溝壁上端面３１は、取付部１５よりも前面側に突出しており、それ故に外周側の溝壁上端面３１は取付部１５よりも前面側に突出した立片部３３となっている。立片部３３の立上り高さは、図４に示すように、取付面３の厚み程度であり、立片部３３は、表示灯１を取付面３の開口に取り付ける際の位置決めの機能を有している。
【００１９】
本実施の形態では、図４に示すように、外周側の溝壁上端面３１と内周側の溝壁上端面３５の高さが同じであり、発信機５を収容した状態では、両方の溝壁上端面が発信機５の前面と高さが同じになっている。そして、凹陥部は、発信機５の前面よりも背面側に位置している。
【００２０】
上記のように構成された本実施の形態の表示灯１においては、取付面３に取り付けた状態では、図４に示すように、発光表示部１１における外周側及び内周側の溝壁上端面３１、３５と発信機５の前面とがほぼ面一になっている。
このため、取付状態において発信機５を含めて表示灯１全体が取付面３とフラットになり、意匠的に優れている。
また、表示灯１を斜め１５度の位置から見た状態では、図１に示すように、発光表示部１１の外周側及び内周側の溝壁上端面３１、３５が全周に亘って見えるので、視認性においても優れている。
【００２１】
上記の実施の形態においては、外周側と内周側の溝壁上端面３１、３５の高さを同じにしたものであったが、本発明の表示灯１は、少なくとも外周側の溝壁上端面３１の高さが発信機５の前面と同じか又はこれよりも高ければよい。
したがって、図５、図６に示すように、外周側の溝壁上端面３１の高さを内周側の溝壁上端面３５の高さよりも高く設定してもよい。
このように設定することで、図５に示すように、表示灯１を斜め１５度の位置から見た状態で少なくとも外周側の溝壁上端面３１を全周に亘って視認することができる。
【００２２】
なお、上記の実施の形態では、発光表示部１１の溝形状の例として湾曲するように凹陥する例を挙げたが、本発明の溝形状は凹陥する溝形状であればよく、湾曲ではなく例えばＶ字状に凹陥したり、矩形状に凹陥する形状であってもよい。
【００２３】
また、上記の実施の形態では、発光表示部１１は円形のリング状に形成したものであったが、発信機収容部７の外周に発信機収容部７を囲むように形成されたものであればよく、例えば矩形、多角形、楕円等のリング状であってもよく、また連続するリング状でなく、リングが途中で途切れたような間欠リング状であってもよい。
【符号の説明】
【００２４】
１  表示灯
３  取付面
５  発信機
７  発信機収容部
９  本体部
１１  発光表示部
１３  外周壁部
１５  取付部
１５ａ  ネジ孔
１７  空間部
１９  発光素子
２１  基板
２３  発信機取付面部
２３ａ  ネジ孔
２５  押ボタン
２７  押ボタン格納部
２９  発信機本体部
３１  外周側の溝壁上端面
３３  立片部
３５  内周側の溝壁上端面
【図１】
2019053364.tif 000003
【図２】
2019053364.tif 000004
【図３】
2019053364.tif 000005
【図４】
2019053364.tif 000006
【図５】
2019053364.tif 000007
【図６】
2019053364.tif 000008